(57)【要約】【課題】フィルタの破損を抑制することができると共に、取り付け作業性を向上することができるフィルタ取付装置を提供すること。【解決手段】気流中の塵埃等を除去する濾材１１ａをケーシング１１ｂの中に有したフィルタ１１を、格子状に複数区画された枠体１２に締結部材によって取り付けるフィルタ取付装置１０であって、枠体１２は、区画を形成する縦板１３及び横板１４を備えると共に、ストッパ部１６を縦板１３及び横板１４の奥行き方向の端部に備え、締結部材は、ケーシング１１ｂの前面に当接する押さえ板２１と、押さえ板２１をストッパ部１６の側に押圧するボルト２２と、ボルト２２と螺合し当該ボルト２２が固定されると共に、枠体１２の前面１２ａから突出しないように当該枠体１２に設けられたボルト受け部２３と、を備えた。【選択図】図１
2010149092.tif 000002
【特許請求の範囲】
【請求項１】
気流中の塵埃等を除去する濾材をケーシングの中に有したフィルタを、格子状に複数区画された枠体に締結部材によって取り付けるフィルタ取付装置であって、
前記枠体は、区画を形成する縦枠及び横枠を備えると共に、前記フィルタの奥行き方向への設置位置を規制するストッパ部を当該縦枠及び当該横枠の奥行き方向の端部に備え、
前記締結部材は、前記ケーシングの前面に当接する押さえ板と、当該押さえ板を前記ストッパ部の側に押圧するボルトと、当該ボルトと螺合し当該ボルトが固定されると共に、前記枠体の前面から突出しないように当該枠体に設けられたボルト受け部と、を備えたことを特徴とするフィルタ取付装置。
【請求項２】
前記横枠は、前記フィルタを載置可能な板状部材により形成されていることを特徴とする請求項１に記載のフィルタ取付装置。
【請求項３】
前記ボルト受け部は、当該ボルト受け部の前面が前記枠体の前面と略面一に設けられていると共に、一の区画における左右一対の前記縦枠のうちのいずれか一方の内側面中央部と、当該一の区画における上側の前記横枠の下面中央部とに設けられていることを特徴とする請求項１又は２に記載のフィルタ取付装置。
【請求項４】
前記ボルト受け部の前縁であって前記フィルタと当接する側の角部には、面取り部が設けられていることを特徴とする請求項３に記載のフィルタ取付装置。
【発明の詳細な説明】
【技術分野】
【０００１】
本発明は、例えば、原子力発電所等の建物内空気を換気空調する換気空調設備に設けられ、空気中の塵埃等を除去するフィルタを所定箇所に取り付けるためのフィルタ取付装置に関する。
【背景技術】
【０００２】
以下、原子力発電所等の建物内空気を換気空調する換気空調設備を例にして説明する。このような換気空調設備においては、例えば図６及び図７に示すように、支持構造物たる枠体１２０に、複数のフィルタ１１がフィルタ取付装置１００によって取り付けられている。ここで、図６は、従来のフィルタ取付装置１００を示す斜視図、図７は、従来のフィルタ取付装置１００を示す正面図である。
【０００３】
フィルタ１１は、気流中の塵埃等を除去する濾材１１ａを矩形枠状のケーシング１１ｂの中に積層したり折り畳んだりして構成されている。枠体１２０は、格子状に複数区画され、複数のフィルタ１１を多段多列に配設できるように構成されている。また、枠体１２０は、フィルタ１１のケーシング１１ｂを支持する受け材１５０を備える。
【０００４】
フィルタ１１は、締結部材１４０によって枠体１２０に取り付けられる。締結部材１４０は、取付ボルト１３０と、当該取付ボルト１３０の先端部にナット１２５によって固定され、隣接する２つのフィルタ１１のケーシング１１ｂを枠体１２０側に押圧固定する押さえ板１２１と、を備える。
【０００５】
取付ボルト１３０は、いわゆるスタッドボルトであり、枠体１２０から突設されている。すなわち、取付ボルト１３０は、枠体１２０にフィルタ１１を配設した際に、当該取付ボルト１３０の先端部が、隣り合う２個のフィルタ１１，１１の間から突出するように設けられている。
【０００６】
押さえ板１２１は、その中心穴に取付ボルト１３０を貫通させる長方形（短冊状）の金属片であり、取付ボルト１３０の先端側に設けられる。また、押さえ板１２１は、取付ボルト１３０先端側からのナット１２５の締め付けによって、隣接する２つのフィルタ１１のケーシング１１ｂを枠体１２０側に押圧固定する。
【０００７】
なお、上述の図示例と関連する従来技術として、例えば特許文献１に係る手段が提供されている。
【特許文献１】特開２００７−４６５８８号公報
【発明の開示】
【発明が解決しようとする課題】
【０００８】
ところで、上記標準的なフィルタ１１は、寸法が約６１０ｍｍ巾×約６１０ｍｍ高さ×約３００ｍｍ奥行であり、重さが約１０〜１５ｋｇほどである。また、枠体１２０の各区画の内寸法は、フィルタ１１の外寸法よりも若干大きめに形成されているので、上記各区画にフィルタ１１を配置する際には、フィルタ１１の位置決めに慎重かつ丁寧な作業が要求される。
【０００９】
これらのフィルタ１１は、所定の濾過性能を維持するために規定の圧損値到達時にまとめて交換する必要があり、数量が多いため非常に手間がかかる。このため、フィルタ１１の取り外し及び取り付けの作業効率を少しでも向上させる必要がある。
【００１０】
特に、新たなフィルタ１１を枠体１２０に取り付ける場合には、比較的強度の弱い濾材１１ａを周囲の部材に接触させる等して破損しないように慎重に作業する必要がある。例えば、フィルタ１１の取り付け作業においては、２人の作業員で１つのフィルタ１１を持ち、枠体１２０の所定の区画に対して慎重に位置決めして収納し、上述の図６及び図７に示すように、締結部材１４０によってケーシング１１ｂの３〜４箇所を固定していた。
【００１１】
しかしながら、上記従来技術にあっては、取付ボルト１３０が枠体１２０に対して手前に突出して設けられているので、作業員が上記位置決めを誤り、濾材１１ａを取付ボルト１３０の先端部に接触させると、濾材１１ａを破損することがあり、その確認、手続き、手戻り作業に大変な労力を要していた。このため、フィルタ１１の取付作業には、多大な労力及び注意力を要求され、作業効率が非常に悪かった。
また、破損したフィルタ１１は、予定外の放射性廃棄物として処理しており、放射性廃棄物増及び処理作業増となっていた。
【００１２】
本発明は、上記に鑑みてなされたものであって、フィルタの破損を抑制することができると共に、取り付け作業性を向上することができるフィルタ取付装置を提供することを目的とする。
【課題を解決するための手段】
【００１３】
上記目的を達成するため、本発明は、以下のようなフィルタ取付装置を提供する。
【００１４】
（１）  気流中の塵埃等を除去する濾材をケーシングの中に有したフィルタを、格子状に複数区画された枠体に締結部材によって取り付けるフィルタ取付装置であって、前記枠体は、区画を形成する縦枠及び横枠を備えると共に、前記フィルタの奥行き方向への設置位置を規制するストッパ部を当該縦枠及び当該横枠の奥行き方向の端部に備え、前記締結部材は、前記ケーシングの前面に当接する押さえ板と、当該押さえ板を前記ストッパ部の側に押圧するボルトと、当該ボルトと螺合し当該ボルトが固定されると共に、前記枠体の前面から突出しないように当該枠体に設けられたボルト受け部と、を備えたことを特徴とする。
【００１５】
このように（１）の発明は、フィルタを取り付ける枠体に従来のような取付ボルトが突設していない。したがって、作業員は、フィルタを枠体の上記各区画に配置する際に、従来のような取付ボルトと濾材との接触破損を回避するための慎重な位置決め作業をしなくて済むので、フィルタを枠体の所定箇所に容易に配置することができる。このように（１）の発明によれば、フィルタの破損を抑制することができると共に、取り付け作業性を向上することができる。また、このようにフィルタの破損を抑制することができるため、（１）の発明を、原子力発電所等の建物内空気を換気空調する換気空調設備に適用した場合には、放射性廃棄物低減及び当該処理作業削減を図ることができる。
【００１６】
（２）  （１）の発明においては、前記横枠は、前記フィルタを載置可能な板状部材により形成されていることが好ましい。
【００１７】
このように（２）の発明によれば、板状の横枠にフィルタを容易に載置できるので、フィルタを支持するために従来設けていた受け材が不要となる。
【００１８】
（３）  （１）又は（２）に記載の発明においては、前記ボルト受け部は、当該ボルト受け部の前面が前記枠体の前面と略面一に設けられていると共に、一の区画における左右一対の前記縦枠のうちのいずれか一方の内側面中央部と、当該一の区画における上側の前記横枠の下面中央部とに設けられていることが好ましい。
【００１９】
このように（３）の発明によれば、ボルト受け部２３が上記所定箇所に規則的に設けられているので、作業員は、フィルタを枠体の各区画に配置する際に同様の動作を繰り返せばよく、作業性が良い。
【００２０】
（４）  （３）に記載の発明においては、前記ボルト受け部の前縁であって前記フィルタと当接する側の角部には、面取り部が設けられていることが好ましい。
【００２１】
このように（４）の発明によれば、ボルト受け部に面取り部が設けられているので、フィルタを各区画に位置決めして配置する際にケーシングの縁がボルト受け部の前縁に引っ掛かりにくくなり、配置作業を円滑に行うことができる。
【発明の効果】
【００２２】
本発明によれば、フィルタの破損を抑制することができると共に、取り付け作業性を向上することができる。また、このようにフィルタの破損を抑制することができるため、本発明を、原子力発電所等の建物内空気を換気空調する換気空調設備に適用した場合には、放射性廃棄物低減及び当該処理作業削減を図ることができる。
【発明を実施するための最良の形態】
【００２３】
以下に、本発明の実施形態を、原子力発電所等の建物内空気を換気空調する換気空調設備に適用する例について図面に基づいて詳細に説明する。なお、この実施形態により本発明が限定されるものではない。
【００２４】
図１は、本実施形態に係るフィルタ取付装置を示す斜視図、図２は、フィルタ取付装置を示す正面図、図３は、図１のＡ−Ａ断面を示す断面図、図４は、ボルト受け部を示す拡大断面図である。
【００２５】
図１及び図２に示すように、フィルタ取付装置１０は、格子状に複数区画された金属製の枠体１２に対し、フィルタ１１を後述の締結部材によって取り付けるものである。
【００２６】
フィルタ１１は、図１に示すように、気流中の塵埃等を除去する濾材１１ａを矩形枠のケーシング１１ｂの中に積層したり折り畳んで構成されている。なお、ケーシング１１ｂは、使用済み後のフィルタ１１を焼却処理可能とするために木材にて形成されているが、フィルタ１１に耐火性能が要求される場合には、ケーシング１１ｂを、例えば難燃性の木質板にて形成してもよい。また、ケーシング１１ｂを、鉄その他の金属等によって形成してもよい。
【００２７】
枠体１２の骨格をなすフレーム１５は、図１及び図３に示すように、断面コ字状のいわゆるＣチャンネル材を格子状に組み合わせて構成されている。枠体１２は、このフレーム１５上に上記区画を形成する縦板（縦枠）１３及び横板（横枠）１４を格子状に有する。フレーム１５と縦板１３及び横板１４とは、例えば、スポット溶接にて接合することができる。
【００２８】
横板１４は、図１に示すように、フィルタ１１を奥行き側に容易に案内でき、かつ載置可能な載置面１４ａを有している。
【００２９】
フレーム１５の前面であって縦板１３及び横板１４が立設されていない余剰面は、フィルタ１１の奥行き方向への設置位置を規制するストッパ部１６となっている。また、図３に示すように、縦板１３及び横板１４の前面１２ａからストッパ部１６までの寸法は、フィルタ１１の奥行き寸法と等しいか、或いは若干（例えば、２０ｍｍ〜３０ｍｍ）小さめに形成されている。なお、ストッパ部１６とケーシング１１ｂとの間には、気密性を確保するための所定のシール材が設けられることが好ましい。
【００３０】
また、上記締結部材は、ケーシング１１ｂの前面に当接する押さえ板２１と、当該押さえ板２１をストッパ部１６の側に押圧するボルト２２と、当該ボルト２２と螺合し当該ボルト２２が固定されるボルト受け部２３と、を備える。
【００３１】
押さえ板２１は、貫通穴２１ａにボルト２２の雄ねじ部２２ｂが挿通される長方形（短冊状）の金属片である。押さえ板１２１は、ボルト２２による締結によって、隣接する２つのフィルタ１１のケーシング１１ｂを枠体１２側に押圧固定可能な寸法に形成されている。
【００３２】
ボルト２２は、円柱状の頭部２２ａと、頭部２２ａから延設された雄ねじ部２２ｂとを有している。また、ボルト２２の頭部２２ａには、作業員が把持するハンドル２４を設けてあり、このハンドル２４を所定数回すことによってボルト２２を締結できるようになっている。なお、ボルト２２によって押さえ板２１をボルト受け部２３に固定する際には、必要に応じてワッシャ或いはスプリングワッシャ等を用いてもよい。
【００３３】
ボルト受け部２３は、金属製の直方体であり、図１及び図２に示すように、ボルト２２の雄ねじ部２２ｂと螺合するねじ穴２３ｂを長手方向の中心部に有し、後述する縦板１３及び横板１４の所定箇所に溶接されている。また、このボルト受け部２３は、図３及び図４に示すように、ボルト受け部２３の前面２３ａが枠体１２の前面１２ａと略面一に設けられている。
【００３４】
また、ボルト受け部２３は、一の区画における左右一対の縦板１３のうちの左側の縦板１３の内側面中央部と、当該一の区画における上側の横板１４の下面中央部とに規則的に設けられている。したがって、図３及び図４に示すように、フィルタ１１が各区画に配置されると、ケーシング１１ｂとボルト受け部２３の当接面２３ｃとが当接する。また、縦板１３及び横板１４とフィルタ１１との間には、図１〜図４に示すように、ボルト受け部２３の幅又は高さに相当する所定の隙間部２５が形成される。
【００３５】
また、図３及び図４に示すように、ボルト受け部２３の前縁であってフィルタ１１と当接する側の角部には、テーパ状或いは円弧状の面取り部２３ｄが設けられている。
【００３６】
次に、フィルタ取付装置１０によってフィルタ１１を枠体１２に取り付ける手順について図１〜図４を参照しながら説明する。
【００３７】
本実施形態に係る枠体１２には、図１等に示したように、従来のような取付ボルト１３０（図６参照）が突設していない。また、枠体１２には、フィルタ１１を容易に載置可能な横板１４が設けられている。したがって、作業員は、フィルタ１１を枠体１２の上記各区画に配置する際に、従来のような取付ボルト１３０と濾材１１ａとの接触破損を回避するための慎重な位置決め作業をしなくて済むので、フィルタ１１を枠体１２の所定箇所に１人で容易に配置することができる。
【００３８】
そして、枠体１２の各区画にフィルタ１１を配置し終えたら、図１に示すように、押さえ板２１の貫通穴２１ａにボルト２２の雄ねじ部２２ｂを挿通し、当該雄ねじ部２２ｂをボルト受け部２３のねじ穴２３ｂに螺合させる。この螺合作業は、ハンドル２４を手で回すことにより容易に行うことができる。
【００３９】
押さえ板２１は、図１及び図２に示すように、ボルト２２による上記締結によって、隣接する２つのフィルタ１１のケーシング１１ｂを枠体１２のストッパ部１６側に押圧固定される。このように、隣接するフィルタ１１のケーシング１１ｂを１枚の押さえ板２１で同時に押圧できるので、各フィルタ１１は、ケーシング１１ｂの前面の３〜４箇所を押さえ板２１によって固定され、枠体１２に強固かつ迅速に取り付けられる。なお、フィルタ１１を枠体１２から取り外す場合には、上記と逆の手順で行えばよい。
【００４０】
以上のように、本実施形態に係るフィルタ取付装置１０によれば、フィルタ１１の破損を抑制することができると共に、取り付け作業性を向上することができる。また、このようにフィルタ１１の破損を抑制することができるため、放射性廃棄物低減及び当該処理作業削減を図ることができる。
【００４１】
また、枠体１２には、フィルタ１１を容易に載置可能であり、かつ奥行き側に案内可能な横板１４が設けられているので、従来のような受け材１５０（図６及び図７参照）が不要となる。
【００４２】
また、ボルト受け部２３は、一の区画における左右一対の縦板１３のうちの左側の縦板１３の内側面中央部と、当該一の区画における上側の横板１４の下面中央部とに規則的に設けられているので、フィルタ１１を枠体１２の各区画に配置する際に同様の動作を繰り返せばよく、作業性が良い。
【００４３】
また、図４に示すように、ボルト受け部２３の前縁であってフィルタ１１と当接する側の角部には、テーパ状或いは円弧状の面取り部２３ｄが設けられているので、フィルタ１１を各区画に位置決めして配置する際にケーシング１１ｂの縁がボルト受け部２３の前縁に引っ掛かりにくくなり、配置作業を円滑に行うことができる。
【００４４】
なお、上記実施形態においては、ボルト受け部２３は、当該ボルト受け部２３の前面２３ａが枠体１２の前面１２ａと略面一に設けられているものとして説明したが、これに限定されず、枠体１２の前面１２ａから突出しないように設けられていればよい。この場合も上記と同様の効果を期待できる。
【００４５】
また、上記実施形態においては、ボルト受け部２３は、一の区画における左右一対の縦板１３のうちの左側の縦板１３の内側面中央部に設けられるものとして説明したが、これに限定されず、例えば、一の区画における左右一対の縦板１３のうちの右側の縦板１３の内側面中央部に設けてもよい。この場合も上記と同様の効果を期待できる。また、ボルト受け部２３を設ける位置は、上記内側面の中央部に限定されず、上記内側面のその他の位置であってもよい。
【００４６】
また、上記実施形態においては、フレーム１５をＣチャンネル材によって構成するものとして説明したが、これに限定されず、いわゆるＬアングル材やその他の断面形状のものによって構成してもよい。この場合も上記と同様の効果を期待できる。
【００４７】
また、所定の強度を確保できれば、縦枠を板状部材からなる縦板１３として構成せずに、上記Ｃチャンネル材やＬアングル材等の棒状部材により構成してもよい。また、横板１４に適宜穴を開けて肉抜きしてもよい。このように構成することにより、上記と同様の効果を期待できると共に、装置全体の軽量化を図ることができる。
【００４８】
また、上記実施形態においては、ボルト２２は円柱状の頭部２２ａを有するものとして説明したが、これに限定されず、例えば、図５に示すように、六角形状の頭部２２ａを有するように構成してもよい。その他の構成は、上記実施形態の場合と同様である。
【００４９】
このように構成することにより、ボルト２２のハンドル２４を手で回すことによりボルト２２を仮締めし、その後にスパナ等で六角形状の頭部２２ａを本締めすることができ、更に強固な締結が可能となる。ここで、図５は、他のボルト２２を備えたフィルタ取付装置１０を示す斜視図である。
【００５０】
また、図示例を省略するが、ボルト受け部２３の頭部２２ａに六角レンチを使用可能な六角穴を設けることにより、六角レンチによる本締めが可能となるように構成してもよい。この場合も上記と同様の効果を期待できる。
【００５１】
また、ボルト２２の頭部２２ａを上記六角形状に形成し、或いは頭部２２ａに六角穴を設ける場合には、上記ハンドル２４は必須ではなく、必要に応じて設ければよい。
【００５２】
また、以上の説明においては、本発明を原子力発電所の換気空調設備用のフィルタに適用するものとして説明したが、これに限定されず、その他の設備における吸気用、排気用、若しくは換気用の各種フィルタに適用することもできる。この場合も上記と同様の効果を期待できる。
【図面の簡単な説明】
【００５３】
【図１】本実施形態に係るフィルタ取付装置を示す斜視図である。
【図２】フィルタ取付装置を示す正面図である。
【図３】図１のＡ−Ａ断面を示す断面図である。
【図４】ボルト受け部を示す拡大断面図である。
【図５】他のボルトを備えたフィルタ取付装置を示す斜視図である。
【図６】従来のフィルタ取付装置を示す斜視図である。
【図７】従来のフィルタ取付装置を示す正面図である。
【符号の説明】
【００５４】
１０  フィルタ取付装置
１１  フィルタ
１１ａ  濾材
１１ｂ  ケーシング
１２  枠体
１２ａ  前面
１３  縦板（縦枠）
１４  横板（横枠）
１５  フレーム（枠体）
１６  ストッパ部
２１  押さえ板
２２  ボルト
２３  ボルト受け部
２３ａ  前面
２３ｃ  当接面
２３ｄ  面取り部
【図１】
2010149092.tif 000003
【図２】
2010149092.tif 000004
【図３】
2010149092.tif 000005
【図４】
2010149092.tif 000006
【図５】
2010149092.tif 000007
【図６】
2010149092.tif 000008
【図７】
2010149092.tif 000009